(57)【要約】      （修正有）【課題】連結部の損傷を防ぐことができるおもちゃ車両を提供する。【解決手段】おもちゃ車両Ｔは、第１のおもちゃ車両１と第２のおもちゃ車両２を連結部３を介して連結したおもちゃ車両Ｔであって、この連結部３は、第１のおもちゃ車両１の背面の下方に設けられ、略垂直方向に延びる第１の立設状部材である被係止部材３１と、第２のおもちゃ車両２の前面の下方に設けられ、被係止部材３１に係止し、略水平方向に延びる係止部材３２とを有している。【選択図】図３
0003165281.tif 000002
【実用新案登録請求の範囲】
【請求項１】
第１のおもちゃ車両と第２のおもちゃ車両を連結部を介して連結したおもちゃ車両であって、
この連結部は、
前記第１のおもちゃ車両の背面の下方に設けられ、略垂直方向に延びる第１の立設状部材である被係止部材と、
前記第２のおもちゃ車両の前面の下方に設けられ、前記被係止部材に係止し、略水平方向に延びる係止部材とを有し、
前記第２のおもちゃ車両の前面の下方には、略垂直方向に延びる第２の立設状部材が設けられ、
前記係止部材の一方の端部は、前記被係止部材に係止する部位で、平面視、略Ｕ字形状部をなし、前記係止部材の他方の端部は、前記第２の立設状部材に遊嵌する環状部である
ことを特徴とするおもちゃ車両。
【請求項２】
第１のおもちゃ車両と第２のおもちゃ車両を連結部を介して連結したおもちゃ車両であって、
この連結部は、
前記第１のおもちゃ車両の前面の下方に設けられ、略垂直方向に延びる第１の立設状部材である被係止部材と、
前記第２のおもちゃ車両の背面の下方に設けられ、前記被係止部材に係止し、略水平方向に延びる係止部材とを有し、
前記第２のおもちゃ車両の背面の下方には、略垂直方向に延びる第２の立設状部材が設けられ、
前記係止部材の一方の端部は、前記被係止部材に係止する部位で、平面視、略Ｕ字形状部をなし、前記係止部材の他方の端部は、前記第２の立設状部材に遊嵌する環状部である
ことを特徴とするおもちゃ車両。
【請求項３】
係止部材は、合成樹脂で形成され、
略Ｕ字形状部と環状部は、接続部で接続され、
この接続部と前記略Ｕ字形状部との接続部位には、スリットが形成され、
このスリットは、前記略Ｕ字形状部の内方に臨むように設けられている
ことを特徴とする請求項１又は請求項２記載のおもちゃ車両。
【考案の詳細な説明】
【技術分野】
【０００１】
本考案は、おもちゃ車両に係り、特に、連結部の損傷を防ぐことができるおもちゃ車両に関する。
【背景技術】
【０００２】
玩具、例えば、ラジコン玩具乗物を連結する場合、第１の玩具乗物と第２の玩具乗物を連結部材を介して連結している（例えば、特許文献１参照）。
この連結部材による連結は、第１の玩具乗物の背面の下方に設けた突起に、第２の玩具乗物の前面の下方に設けたフックを係止するようにしている。
【先行技術文献】
【特許文献】
【０００３】
【特許文献１】実用新案登録第３０４７２０８号公報（図１）
【考案の概要】
【考案が解決しようとする課題】
【０００４】
上述の連結部材にあっては、第１の玩具乗物と第２の玩具乗物を離れる方向に不用意に力を入れて引っ張ると、フック又は突起が容易に損傷するという問題点があった。
【０００５】
本考案は、上記の問題点を除去するように、連結部の損傷を防ぐことができるおもちゃ車両を提供することを目的とする。
【課題を解決するための手段】
【０００６】
請求項１記載のおもちゃ車両は、第１のおもちゃ車両と第２のおもちゃ車両を連結部を介して連結したおもちゃ車両であって、この連結部は、前記第１のおもちゃ車両の背面の下方に設けられ、略垂直方向に延びる第１の立設状部材である被係止部材と、前記第２のおもちゃ車両の前面の下方に設けられ、前記被係止部材に係止し、略水平方向に延びる係止部材とを有し、前記第２のおもちゃ車両の前面の下方には、略垂直方向に延びる第２の立設状部材が設けられ、前記係止部材の一方の端部は、前記被係止部材に係止する部位で、平面視、略Ｕ字形状部をなし、前記係止部材の他方の端部は、前記第２の立設状部材に遊嵌する環状部である。
【０００７】
また、請求項２記載のおもちゃ車両は、第１のおもちゃ車両と第２のおもちゃ車両を連結部を介して連結したおもちゃ車両であって、この連結部は、前記第１のおもちゃ車両の前面の下方に設けられ、略垂直方向に延びる第１の立設状部材である被係止部材と、前記第２のおもちゃ車両の背面の下方に設けられ、前記被係止部材に係止し、略水平方向に延びる係止部材とを有し、前記第２のおもちゃ車両の背面の下方には、略垂直方向に延びる第２の立設状部材が設けられ、前記係止部材の一方の端部は、前記被係止部材に係止する部位で、平面視、略Ｕ字形状部をなし、前記係止部材の他方の端部は、前記第２の立設状部材に遊嵌する環状部である。
【０００８】
また、請求項３記載のおもちゃ車両は、請求項１又は請求項２記載のおもちゃ車両において、係止部材は、合成樹脂で形成され、略Ｕ字形状部と環状部は、接続部で接続され、この接続部と前記略Ｕ字形状部との接続部位には、スリットが形成され、このスリットは、前記略Ｕ字形状部の内方に臨むように設けられている。
【考案の効果】
【０００９】
請求項１記載のおもちゃ車両によれば、係止部材の略Ｕ字形状部の開放部位を利用して、被係止部材の第１の立設状部材に係止、非係止し、連結部を介して、第１のおもちゃ車両と第２のおもちゃ車両とを連結、非連結することができ、特に、被係止部材である第１の立設状部材は、垂直方向に自由度があるため、係止部材の略Ｕ字形状部の開放部位と係止し易く、しかも、第１のおもちゃ車両と第２のおもちゃ車両を離れる方向に力を入れて引っ張っても、容易に外れるため、連結部の損傷を防ぐことができ、更に、第１のおもちゃ車両と第２のおもちゃ車両を連結部を介して連結したおもちゃ車両を動かせても、係止部材の一方の端部の略Ｕ字形状部は、第１の立設状部材に対して回動と垂直方向の動きを、係止部材の他方の端部の環状部は、第２の立設状部材に対して回動と垂直方向の動きを、それぞれ許容されているため、係止部材に負担を掛けないで、連結状態を保持することができる。
【００１０】
また、請求項２記載のおもちゃ車両によれば、係止部材の略Ｕ字形状部の開放部位を利用して、被係止部材の第１の立設状部材に係止、非係止し、連結部を介して、第１のおもちゃ車両と第２のおもちゃ車両とを連結、非連結することができ、特に、被係止部材である第１の立設状部材は、垂直方向に自由度があるため、係止部材の略Ｕ字形状部の開放部位と係止し易く、しかも、第１のおもちゃ車両と第２のおもちゃ車両を離れる方向に力を入れて引っ張っても、容易に外れるため、連結部の損傷を防ぐことができ、更に、第１のおもちゃ車両と第２のおもちゃ車両を連結部を介して連結したおもちゃ車両を動かせても、係止部材の一方の端部の略Ｕ字形状部は、第１の立設状部材に対して回動と垂直方向の動きを、係止部材の他方の端部の環状部は、第２の立設状部材に対して回動と垂直方向の動きを、それぞれ許容されているため、係止部材に負担を掛けないで、連結状態を保持することができる。
【００１１】
また、請求項３記載のおもちゃ車両によれば、上述した請求項１又は請求項２記載の考案の効果に加え、係止部材は、合成樹脂で形成され、略Ｕ字形状部と環状部は、接続部で接続され、この接続部と前記略Ｕ字形状部との接続部位には、スリットが形成され、このスリットは、前記略Ｕ字形状部の内方に臨むように設けられているため、係止部材の略Ｕ字形状部が被係止部材の第１の立設状部材に係止、非係止する際、前記スリットにより変形し易く、略Ｕ字形状部又は被係止部材の第１の立設状部材の破損を防ぐことができる。
【図面の簡単な説明】
【００１２】
【図１】図１は、本考案の一実施例のおもちゃ車両の概略的斜視図である。
【図２】図２は、図１のおもちゃ車両の連結状態を示す概略的断面図である。
【図３】図３は、図１のおもちゃ車両の連結前の状態を示す概略的断面図である。
【図４】図４は、図３のおもちゃ車両の連結途中の状態を示す概略的断面図である。
【図５】図５は、図４のおもちゃ車両の連結した状態を示す概略的断面図である。
【図６】図６は、図１の係止部材の回動状態を示す概略的図である。
【図７】図７は、図２の係止部材と被係止部材との係止状態を示す概略的断面図である。
【図８】図８は、図１の係止部材の垂直方向への移動許容を示す概略的図である。
【図９】図９は、図２の係止部材と被係止部材との係止状態を示す概略的断面図である。
【考案を実施するための形態】
【００１３】
本考案の一実施例のおもちゃ車両を図面を参照して説明する。
図１〜図５に示すＴはおもちゃ車両で、おもちゃ車両Ｔは、第１のおもちゃ車両１と第２のおもちゃ車両２を連結部３を介して連結したものである。
【００１４】
連結部３は、図１〜図５に示すように、第１のおもちゃ車両１の背面の下方に設けられ、略垂直方向に延びる第１の立設状部材である被係止部材３１と、第２のおもちゃ車両２の前面の下方に設けられ、被係止部材３１に係止し、略水平方向に延びる係止部材３２とを有している。
なお、第２のおもちゃ車両２の前面の下方には、略垂直方向に延びる第２の立設状部材４が設けられている。
また、係止部材３２の一方の端部は、被係止部材３１に係止する部位で、平面視、略Ｕ字形状部３２ａをなし、係止部材３２の他方の端部は、第２の立設状部材４に遊嵌する環状部３２ｂである（図３乃至図５参照）。
そして、係止部材３２は、例えば、合成樹脂で形成され、略Ｕ字形状部３２ａと環状部３２ｂは、接続部３２ｃで接続され、この接続部３２ｃと略Ｕ字形状部３２ａとの接続部位には、スリット３２ｄが形成されている。このスリット３２ｄは、略Ｕ字形状部３２ａの内方に臨むように設けられている。
【００１５】
従って、上述したおもちゃ車両Ｔによれば、係止部材３２の略Ｕ字形状部３２ａの開放部位を利用して、被係止部材３１の第１の立設状部材に係止、非係止し、連結部３を介して、第１のおもちゃ車両１と第２のおもちゃ車両２とを連結、非連結することができ、特に、被係止部材３１である第１の立設状部材は、垂直方向に自由度があるため（図２及び図９参照）、係止部材３２の略Ｕ字形状部３２ａの開放部位と係止し易く、しかも、第１のおもちゃ車両１と第２のおもちゃ車両２を離れる方向に力を入れて引っ張っても、容易に外れるため、連結部３の損傷を防ぐことができ、
更に、第１のおもちゃ車両１と第２のおもちゃ車両２を連結部３を介して連結したおもちゃ車両Ｔを動かせても、係止部材３２の一方の端部の略Ｕ字形状部３２ａは、第１の立設状部材４に対して回動（図６及び図７参照）と垂直方向（図８及び図９参照）の動きを、係止部材３２の他方の端部の環状部３２ｂは、第２の立設状部材４に対して回動と垂直方向の動きを、それぞれ許容されているため、係止部材３２に負担を掛けないで、連結状態を保持することができる。
なお、特に、スリット３２ｄは略Ｕ字形状部３２ａの内方に臨むように設けられているため、係止部材３２の略Ｕ字形状部３２ａが被係止部材３１の第１の立設状部材に係止、非係止する際、スリット３２ｄにより変形し易く、略Ｕ字形状部３２ａ又は被係止部材３１の第１の立設状部材の破損を防ぐことができる。
【００１６】
上述した実施例においては、連結部３の被係止部材３１を第１のおもちゃ車両１の背面の下方に、連結部３の係止部材３２を第２のおもちゃ車両２の前面の下方に、それぞれ設けるようにしたが、本願考案にあってはこれに限らず、図示しないが、逆に構成、つまり、連結部３の被係止部材３１を第２のおもちゃ車両２の前面の下方に、連結部３の係止部材３２を第１のおもちゃ車両１の背面の下方に、それぞれ設けるようにしても良い。
【符号の説明】
【００１７】
Ｔ      おもちゃ車両
１      第１のおもちゃ車両
２      第２のおもちゃ車両
３      連結部
３１    被係止部材
３２    係止部材
【図１】
0003165281.tif 000003
【図２】
0003165281.tif 000004
【図３】
0003165281.tif 000005
【図４】
0003165281.tif 000006
【図５】
0003165281.tif 000007
【図６】
0003165281.tif 000008
【図７】
0003165281.tif 000009
【図８】
0003165281.tif 000010
【図９】
0003165281.tif 000011